(57)【要約】【課題】停電時、バックアップ電源を長く持たせるため電源消費量の大きい画面表示をＯＦＦしても、ユーザーはＬＥＤでガスメータの状態を確認することができる。【解決手段】停電が発生しても動作するように情報端末装置にバックアップ用電池等の別電源を供給できる機能を有し、ガスメータ２の遮断状態をＬＥＤで簡易表示する第一の表示部１５ｃと、ガスメータの異常情報などを画面で表示する第二の表示部８を備え、停電中は、バックアップ用電池等の別電源消費量を極力抑えるため、第一の表示部１５ｃの画面表示をＯＦＦしても、ユーザーはガスメータの遮断状態は第一の表示部のＬＥＤで確認することができる。【選択図】図２
2006033130.tif 000002
【特許請求の範囲】
【請求項１】
ガス、電気、水道などの異常検知または保安管理を行う設備機器と通信するネットワーク通信部と、商用電源から電源を供給する電源供給部と、商用電源から電源供給が遮断される停電が発生したときに電池など別の電源から電源供給を行うバックアップ電源供給部と、前記設備機器の状態を低消費電力で簡易表示する第一の表示部と、前記設備機器の異常情報などを画面で表示する第二の表示部と、停電を検知する停電検知部と、前記停電検知部で停電を検知した際に前記第二の表示部の画面を消去して前記第一の表示部で簡易表示することを特徴とする情報端末装置。
【請求項２】
音または音声で報知する報知部を備え、停電中に設備機器に異常が発生すれば、報知部から報知を行い、設備機器の状態を第一の表示部で表示することを特徴とした請求項１記載の情報端末装置。
【請求項３】
停電中に第二の表示部において表示するかしないかを選択できる表示選択部を備え、表示選択部で表示することを選択すれば、停電中に第二の表示部で表示することが可能になることを特徴とした請求項１または２に記載の情報端末装置。
【請求項４】
設備機器の状態や異常情報を不揮発性メモリに記憶する記憶部を備え、停電中にバックアップ電源供給部で電源電圧が低下し、電源供給ができなくなるとシャットダウンを行い、停電が復帰した場合、前記記憶部から前記設備機器の状態や異常情報を読出し、第一の表示部または第二の表示部で表示したり、報知部から報知することを特徴とした請求項１〜３のいずれか１項に記載の情報端末装置。
【請求項５】
サーバ装置と通信する第二のネットワーク通信部を備え、設備機器から状態や異常などの通知を受ければサーバ装置に通報を行い、停電中に設備機器から通知を受けサーバ装置に通報が出来なかった場合、停電復帰時にサーバ装置に通報することを特徴とした請求項４記載の情報端末装置。
【請求項６】
ガス、電気、水道などの異常検知または保安管理を行う設備機器と通信するネットワーク通信部と、サーバ装置と通信する第二のネットワーク通信部と、商用電源から電源を供給する電源供給部と、商用電源から電源供給が遮断される停電が発生したときに電池など別の電源から電源供給を行うバックアップ電源供給部と、前記設備機器の状態を低消費電力で簡易表示する第一の表示部と、前記設備機器の異常情報などを画面で表示する第二の表示部と、音または音声で報知する報知部で構成された情報端末装置において、停電を検知する停電検知手順と、停電を検知すれば第二の表示部の画面を消去して前記第一の表示部で簡易表示する手順を備えた情報処理の方法。
【請求項７】
停電中に設備機器から状態や異常などの通知を受ければ、通知を受けた情報を記憶する記憶手順と、通知を受けた情報を表示または報知する報知手順と、バックアップ電源の電源電圧が低下するとシャットダウンするシャットダウン手順と、停電復帰時に不揮発性メモリなどから情報を読み出す情報読出手順と、読み出した情報を報知する報知手順と、サーバへ通報する通報手順を備えた請求項６記載の情報処理の方法。
【請求項８】
請求項１〜５のいずれか１項記載の情報端末装置の機能の少なくとも一部をコンピュータにて実現させるためのプログラム。
【発明の詳細な説明】
【技術分野】
【０００１】
本発明は、ガス、電気、水道などの異常検知、保安管理を行う設備機器と通信を行うシステムにおいて、停電中の動作に関する情報端末装置、情報処理の方法及びプログラムに関するものである。
【背景技術】
【０００２】
従来、この種のシステムとしては、例えば、ガスメータより異常が通知されると情報端末装置での報知または、情報端末装置に接続されたテレビに異常情報を表示させるというものがあった（特許文献１参照）。
【０００３】
図６は、特許文献１に記載された従来の情報端末装置を用いたシステム構成図を示すものである。図６に示すように、テレビ１０１と、ネットワーク網を介してデータ通信を行うセンターサーバー１０２と、前記テレビに接続し前記ネットワーク網を介して外部と通信する第１の通信手段１０３と、ガスメータ１０４と通信を行う第２の通信手段１０５を備えた情報端末装置１０６とで構成されたシステムであり、ガスメータ１０４で異常を検知すると、情報端末装置１０６に異常情報が通知され、情報端末装置１０６のＬＥＤを点滅させ、音声または音により報知させる。また、ガス異常のＬＥＤ点滅を確認した利用者は、テレビ１０１の操作によってビデオ入力に変更し、情報端末装置より受信したＨＴＭＬ文書を表示する操作を行うと、テレビ信号に変換してテレビに表示するというものであり、日常、リビングで団らんしながら、ガス異常を検知した場合、リビングなどに設置したテレビに情報表示を行うことにより、テレビを見ている際に流れる地震情報のように緊急情報を確認できるようになる。
【特許文献１】特開２００３−１７４５２４号公報
【発明の開示】
【発明が解決しようとする課題】
【０００４】
しかしながら、前記従来の構成では、落雷等により停電した場合、情報端末装置で表示できないため、ガスメータから通知された異常情報を取得して報知することができない。特に、ガスの異常の場合、生命に危険を及ぼす恐れが生じることもあり、異常発生の場合、迅速に利用者に知らせる必要があった。
【０００５】
本発明は、前記従来の課題を解決するもので、停電が発生しても動作するように情報端末装置にバックアップ用電池等の別電源を供給できる機能を有し、ガスメータの遮断状態をＬＥＤ等の低消費電力で簡易表示する第一の表示部と、ガスメータの異常情報などを画面で表示する第二の表示部を備え、停電中は、バックアップ用電池等の別電源消費量を極力抑えるため、第二の表示部の画面表示をＯＦＦして、ユーザーはガスメータの遮断状態は第一の表示部のＬＥＤなどで確認することができる。
【０００６】
また、停電中にガスメータで異常検知し、ガスを遮断された場合も同様に、第一の表示部のＬＥＤ等で確認することができる情報端末装置、情報処理の方法及びプログラムを提供することを目的とする。
【課題を解決するための手段】
【０００７】
前記従来の課題を解決するために、本発明の情報端末装置は、ガス、電気、水道などの異常検知または保安管理を行う設備機器と通信するネットワーク通信部と、商用電源から電源を供給する電源供給部と、商用電源から電源供給が遮断される停電が発生したときに電池など別の電源から電源供給を行うバックアップ電源供給部と、前記設備機器の状態を簡易表示する第一の表示部と、前記設備機器の異常情報などを画面で表示する第二の表示部と、停電を検知する停電検知部と、前記停電検知部で停電を検知した際、第二の表示部の画面を消去して前記第一の表示部で簡易表示することを特徴としたものであり、停電が発生した場合、バックアップ電源供給部でバックアップ用電池などから電源を供給し、バックアップ用電池の電源消費量を極力抑えるため、第二の表示部の画面表示をＯＦＦしても、第一の表示部でガスメータの遮断状態をＬＥＤ等で簡易表示するため、ユーザーはガスメータの遮断状態を第一の表示部のＬＥＤ等で確認することができるというものである。
【発明の効果】
【０００８】
本発明の情報端末装置、情報処理の方法及びプログラムは、停電時、バックアップ電源で動作を継続させ、バックアップ電源を長く持たせるため電源消費量の大きい画面表示をＯＦＦしても、ユーザーはＬＥＤなどの低消費電力で設備機器の状態を確認することができる。
【発明を実施するための最良の形態】
【０００９】
第１の発明は、ガス、電気、水道などの異常検知または保安管理を行う設備機器と通信するネットワーク通信部と、商用電源から電源を供給する電源供給部と、商用電源から電源供給が遮断される停電が発生したときに電池など別の電源から電源供給を行うバックアップ電源供給部と、前記設備機器の状態をＬＥＤ等の低消費電力で簡易表示する第一の表示部と、前記設備機器の異常情報などを画面で表示する第二の表示部と、停電を検知する停電検知部と、前記停電検知部で停電を検知した際、第二の表示部の画面を消去して前記第一の表示部で簡易表示することを特徴とする情報端末装置であり、停電が発生した場合、バックアップ電源供給部でバックアップ用電池などから電源を供給し、バックアップ用電池の電源消費量を極力抑えるため、第二の表示部の画面表示をＯＦＦしても、第一の表示部でガスメータの遮断状態をＬＥＤ等で簡易表示するため、ユーザーはガスメータの遮断状態を第一の表示部のＬＥＤ等で確認することができるというものである。
【００１０】
第２の発明は、特に、第１の発明の情報端末装置において、音または音声で報知する報知部を備え、停電中に設備機器に異常が発生すれば、報知部から報知を行い、設備機器の状態を第一の表示部で表示することを特徴としたものであり、ユーザーは第二の表示部の画面をＯＦＦしていても、報知音により設備機器に異常が発生したことを知ることができる。
【００１１】
第３の発明は、特に、第１の発明または第２の発明の情報端末装置において、停電中に第二の表示部を表示するかしないかを選択できる表示選択部を備え、表示選択部で表示することを選択すれば、停電中に第二の表示部で表示することが可能になることを特徴としたものであり、ユーザーは表示選択部を操作することにより、停電中でも設備機器の異常詳細内容を第二の表示部で確認することができる。
【００１２】
第４の発明は、第１〜３の発明のいずれか１つの発明の情報端末装置において、設備機器の状態や異常情報を不揮発性メモリに記憶する記憶部を備え、停電中、バックアップ電源供給部で電源電圧が低下し、電源供給ができなくなるとシャットダウンを行い、停電が復帰した場合、記憶部から設備機器の状態や異常情報を読出し、第一の表示部、または第二の表示部で表示したり、報知部から報知することを特徴としたものであり、停電時間が長くバックアップ電源供給部で電源供給できなくなった場合、シャットダウンを行い、停電復帰時に、シャットダウン前の状態を表示、報知しユーザーに知らせるというものである。
【００１３】
第５の発明は、特に、第４の発明の情報端末装置において、サーバ装置と通信する第二のネットワーク通信部を備え、設備機器から状態や異常などの通知を受ければサーバ装置に通報を行い、停電中に設備機器から通知を受けサーバ装置に通報が出来なかった場合、停電復帰時に、サーバ装置に通報することを特徴としたものであり、設備機器で発生した異常情報を確実にサーバ装置に通報するので設備機器の管理者はサーバ装置を確認することにより顧客の設備機器の異常状況を遠隔で把握することができる。
【００１４】
第６の発明は、ガス、電気、水道などの異常検知または保安管理を行う設備機器と通信するネットワーク通信部と、サーバ装置と通信する第二のネットワーク通信部と、商用電源から電源を供給する電源供給部と、商用電源から電源供給が遮断される停電が発生したときに電池など別の電源から電源供給を行うバックアップ電源供給部と、前記設備機器の状態を低消費電力で簡易表示する第一の表示部と、前記設備機器の異常情報などを画面で表示する第二の表示部と、音または音声で報知する報知部で構成された情報端末装置において、停電を検知する停電検知手順と、停電を検知すれば第二の表示部の画面を消去して前記第一の表示部で簡易表示する手順を備えた情報処理の方法であり、停電が発生した場合、バックアップ電源供給部でバックアップ用電池などから電源を供給し、バックアップ用電池の電源消費量を極力抑えるため、第二の表示部の画面表示をＯＦＦしても、第一の表示部でガスメータの遮断状態をＬＥＤで簡易表示するため、ユーザーはガスメータの遮断状態を第一の表示部のＬＥＤで確認することができるというものである。
【００１５】
第７の発明は、停電中に、設備機器から状態や異常などの通知を受ければ、通知を受けた情報を記憶する記憶手順と、通知を受けた情報を表示または報知する報知手順と、バックアップ電源の電源電圧が低下するとシャットダウンするシャットダウン手順と、停電復帰時に、不揮発性メモリなどから情報を読み出す情報読出手順と、読み出した情報を報知する報知手順と、サーバへ通報する通報手順を備えた情報処理の方法であり、停電時間が長くバックアップ電源供給部で電源供給できなくなった場合、シャットダウンを行い、停電復帰時に、シャットダウン前の状態を表示、報知しユーザーに知らせることができ、また、設備機器で発生した異常情報を確実にサーバ装置に通報するので設備機器の管理者はサーバ装置を確認することにより顧客の設備機器の異常状況を遠隔で把握することができるというものである。
【００１６】
第８の発明は、特に、第１〜５のいずれか１つの発明の情報端末装置の機能の少なくとも一部をコンピュータに実現させるためのプログラム。そして、プログラムであるので電気・情報機器、コンピュータ、サーバー等のハードリソースを協働させて本発明の情報端末装置の少なくとも一部を容易に実現することができる。また記録媒体に記録したり通信回線を用いてプログラムを配信したりすることでプログラムの配布やインストール作業が簡単にできる。
【００１７】
以下、本発明の実施の形態について、図面を参照しながら説明する。なお、この実施の形態によって本発明が限定されるものではない。
【００１８】
（実施の形態１）
図１は、本発明の第１の実施の形態における情報端末装置のシステム構成図、図２は、本発明の第１の実施の形態における情報端末装置のブロック図を示すものである。
【００１９】
図１において、第一のネットワーク通信部１として具体的には、ガスメータ２と情報端末装置３とは無線を媒体として利用する構成で、ガスメータ２には無線通信ユニット４が取り付けられており、情報端末装置３には、無線通信ユニット５が内蔵されている。なお、無線通信方式としては、特定小電力無線を使用し４００ＭＨｚ帯の伝送周波数を用いて通信を行う。
【００２０】
なお、ガスメータ２は利用者の家屋に設置されたガスの使用量を計量し、ガス漏れ等の異常検知を行う。
【００２１】
また、第二のネットワーク通信部６として情報端末装置３とガス供給業者がガス供給の安全監視、ガス使用量の検針または情報サービスなどを行う管理センターのセンターサーバ７と経路にインターネットや公衆回線網・専用回線網などの通信回線を利用して、情報の送受信や電子メールの送信を行ったり、ＮＣＵ（網制御装置）を利用して公衆電話回線より直接電話発呼することができる。
【００２２】
また、表示部８の表示画面は液晶ディスプレイパネル９ａで透過型ＳＴＮ（Ｓｕｐｅｒ  Ｔｗｉｓｔｅｄ  Ｎｅｍａｔｉｃ）液晶であり、パネル下からバックライト９ｂを照射することで画面に描画された内容を視覚的に見ることができるようになる。
入力部１０の入力デバイスは液晶ディスプレイパネル９ａに重ねて設けられたタッチパネル１１である。使用者は画面の表示内容に対して触れることにより、所望の動作をさせることができる。
【００２３】
また、液晶ディスプレイ９ａの表示画面では、ガスメータ２で異常を検知した情報表示やセンターサーバで提供するコンテンツ情報を表示したり、利用者自身が簡単なスケジュール管理などをすることができる。
【００２４】
また、音声出力部１２の出力装置はスピーカ１３であり、情報端末装置３上でのサービス内容に応じた音声ガイダンスやガスメータから異常情報を受信した場合、異常警報音などを報知する。
【００２５】
ボタン群１４は、ＴＯＰメニュー画面に戻るメニューボタン１４ａ、表示部８で画面表示のＯＮ／ＯＦＦができる画面入／切ボタン１４ｂ、ガス販売店を呼び出すことができるコールボタン１４ｃで構成されている。
【００２６】
ＬＥＤ群１５は、電源供給ＬＥＤ１５ａ、ガス販売店からお知らせがあれば点灯するお知らせＬＥＤ１５ｂ、ガスメータ２の遮断状態を示す遮断ＬＥＤ１５ｃなどで構成される。
【００２７】
次に、図２において、ガスメータ２は、入力した情報やデータを演算処理したり、制御信号、データの生成や送出を行う機器制御部５１、ガスメータ２のガス漏れ等の異常を検知する異常検知部５２、異常状態をＬＥＤ表示などで報知する機器報知部５３、情報端末装置と通信を行う第一の送受信部１６で構成される。
【００２８】
情報端末装置３には、無線通信ユニット５である第一の送受信部１６を介して、ガスメータ２と情報を通信することができる。なお、ガスメータ２と通信するためには、事前に登録をしておく必要がある。登録とは、例えば、ガスメータ２にはユニークなアドレスが割り振られており、情報端末装置３に前記のユニークなアドレスを登録するという方法がある。
【００２９】
制御部１７は、入力した情報やデータを演算処理したり、制御信号、データの生成や送出を行う。異常判定部１８は、ガスメータ２から受信した情報に対して異常情報を判定する。異常を判定した場合は、報知部１９で、異常が発生したことを知らせる画面表示を行い、音声ガイダンスを発声し、利用者へ注意を促し、異常情報をセンターサーバ７へ通知する。
【００３０】
電源供給部２０は、ＡＣアダプタ（商用ＡＣ１００Ｖ電源からＤＣ１２Ｖの電源に変換）から電源を入力し、情報端末装置３の動作に必要な電源である。電池２１はＤＣ６Ｖのリチウム一次電池である。
【００３１】
停電検知部２２は、電源供給部２０で入力する電圧が所定の電圧値（ＤＣ１１Ｖ）以下を検知すれば電源供給を電源供給部２０から電池２１への切替を行う機能を備えたマイコンやＩＣである。さらに、電池２１の電圧が所定の電圧値（ＤＣ４Ｖ）以下を検知すれば、電池残量が少ないと判断し、制御部１７に情報端末装置３をシャットダウンするように通知する。
【００３２】
シャットダウン通知を受けると制御部１７は必要な情報を記憶部２３に保存する。記憶部２３はフラッシュメモリやＳＲＡＭやＥＥＰＲＯＭなどの不揮発性メモリである。
【００３３】
表示選択部２４は、画面入／切ボタン１４ｂを押すことにより、押す前の状態が液晶ＯＮであれば液晶ＯＦＦに、押す前の状態が液晶ＯＦＦであれば液晶ＯＮにする。なお、液晶ＯＮ、液晶ＯＦＦとは、具体的には、液晶表示が見えるようにするためのバックライト９ｂのＯＮ、ＯＦＦに該当する。
【００３４】
第二の送受信部２５は、ガス供給業者がガス供給の安全監視、ガス使用量の検針または情報サービスなどを行う管理センターのセンターサーバ７と情報の送受信を行う。
【００３５】
センターサーバ７には、情報端末装置３の設置時に顧客毎に管理されたガスメータに設定を行う設定情報や、顧客から取得した検針情報、ガス異常情報、他にコンテンツ情報などを管理するデータ管理装置３１と、データ管理装置３１のコンテンツ情報やデータ、情報端末装置３から取得するデータを演算処理したり、制御信号、データを生成し情報端末装置３へ送出するサーバ制御部３２で構成される。
【００３６】
４１はセンターサーバに接続できるパソコン等の端末装置であり、データ管理装置３１のデータの追加、編集、削除等の入力作業ができる。
【００３７】
以上のように構成された情報端末装置について、図３〜図５を用いて、ガスメータで異常を検知した時の動作、作用を説明する。
【００３８】
図３は、本発明の第１の実施の形態における情報端末装置の動作を説明するためのフローチャートであり、図３（ａ）は停電中にガスメータで異常が発生したときの情報端末装置の動作を示すフローチャート、図３（ｂ）はシャットダウン後に停電復帰した時の情報端末装置の動作を示すフローチャートである。
【００３９】
図４は、本発明の第１の実施の形態における情報端末装置の外観図であり、図４（ａ）は停電中のガスメータ遮断状態、図４（ｂ）は停電復帰後のガスメータ遮断状態を表している。
【００４０】
図５は、本発明の第１の実施の形態における情報端末装置の記憶部で記憶するデータの一例を示す図である。
【００４１】
図３（ａ）において、まずは、商用電源から電源供給部２０に電源が供給されているとする。
【００４２】
常に、停電検知部２２により電圧チェックを行い（Ｓ５１）、供給電圧が所定の電圧値（ＤＣ１１Ｖ）以下であると、電源供給を電源供給部２０から電池２１への切替を行い、液晶ディスプレイのバックライト９ｂをＯＦＦする（Ｓ５２）。
【００４３】
以下、電池２１で駆動している状態を停電中として説明していく。
【００４４】
停電中に、ガスメータ２がガス漏れ異常が検知し、異常情報を情報端末装置に通知があると、異常判定部１８で受信した通知情報が異常情報か否かを判別し異常であれば（Ｓ５３）、異常内容を記憶部２３に保存する（Ｓ５４）。
【００４５】
続いて、遮断ＬＥＤ１５ｃを点灯し（Ｓ５５）、画面には異常内容を表示する（Ｓ５６）。ただし、図４（ａ）に示すようにバックライト９ｂがＯＦＦとなっているため、ユーザーは画面表示は見えない。また、報知音として「ガスの異常を検知し、安全のためガスを遮断しました。」のような音声ガイダンスを再生し、報知する（Ｓ５７）。そして、異常情報をセンターサーバ７へ通報する（Ｓ５８）。
【００４６】
通報が成功すれば、通報完了フラグを０クリアし（Ｓ６０）、通報が失敗すれば、通報完了フラグに１をセットする（Ｓ６１）。なお、通報が失敗とは、例えば、図示していないが、第一のネットワーク通信部にＡＤＳＬやＦＴＴＨの回線を使用する場合、モデムやルータを使用することになり、情報端末装置３は停電中でも電池２１駆動しているが、モデムやルータは電源ＯＦＦとなり、センターサーバ７へ通報することが出来ない場合が想定される。
【００４７】
停電状態が長時間続けば、電池電圧低下のチェックを行い（Ｓ６２）、電池２１の残量が減り、所定の電圧値（ＤＣ４Ｖ）以下を検知すれば、通報完了フラグを含む重要なデータを記憶部２３により不揮発性メモリに記憶し（Ｓ６３）、シャットダウンする（Ｓ６４）。
【００４８】
なお、記憶部２３で記憶されるデータは図５に示すように、「ガス異常情報」「遮断状態」「通報完了フラグ」などの情報である。
【００４９】
また、電池電圧低下していない状態で、ユーザーが画面入／切ボタン１４ｂを押すと、バックライト９ｂがＯＮし、画面で異常内容の表示を確認することができる。
【００５０】
次に図３（ｂ）を説明する。
【００５１】
シャットダウン後に停電復帰した場合、最初に記憶部２３から異常情報や遮断状態などのデータを読み出す（Ｓ７１）。
【００５２】
（Ｓ７１）で読み出した情報でガス異常情報があれば（Ｓ７２）、遮断ＬＥＤ１５ｃを点灯し（Ｓ７３）、画面に異常内容を表示し（Ｓ７４）、報知音として「ガスの異常を検知し、安全のためガスを遮断しました。」のような音声ガイダンスを再生し、報知を行う（Ｓ７５）。
【００５３】
情報端末装置の外見上は図４（ｂ）のように停電中と異なり異常詳細内容が画面表示されるということになる。
【００５４】
読み出したデータの「通報完了フラグ」が１であれば（Ｓ７６）、シャットダウン前に発生した異常情報がセンターサーバ７へ通報できていないということで、センターサーバ７へ読み出した「ガス異常情報」を通報する（Ｓ７７）。
【００５５】
なお、ここでは通報の対象とする情報をガス異常情報を例にあげたが、ガスメータから検針情報や残ガス情報などが通知され、停電中に通報できなかった場合も、シャットダウン前に記憶部２３に記憶し、（Ｓ７７）で未通報情報をセンターサーバ７へ通報する。
【００５６】
以上のように、本実施の形態においては、停電が発生した場合、バックアップ電源供給部で電池から電源を供給し、電池の電源消費量を極力抑えるため、画面表示をＯＦＦしても、ＬＥＤでガスメータの遮断状態を簡易表示するため、ユーザーはガスメータの遮断状態をＬＥＤで確認することができる。
【００５７】
また、ユーザーは停電中に画面がＯＦＦしていても、報知音によりガスメータに異常が発生したことを知ることができる。
【００５８】
さらに、停電中にガスメータで異常が発生し異常内容を知りたければ、画面入／切ボタンを押すことにより、強制的に画面表示し異常詳細内容を確認することができる。
【００５９】
また、停電時間が長くバックアップ電源供給部で電源供給できなくなった場合、シャットダウンを行い、停電復帰時にシャットダウン前の状態を表示、報知しガスメータで異常が発生したことを的確にユーザーに知らせる。
【００６０】
また、停電中にガスメータで発生した異常情報が通報できなかった場合、停電復帰後に確実にサーバ装置に通報するのでガス供給業者の管理者はサーバ装置を確認することにより顧客のガスメータの異常状況を遠隔で把握することができる。
【００６１】
なお、低消費電力の表示部としてＬＥＤを用いて説明したがこれに限らず、第二の表示部（ＬＣＤ）よりも消費電力の小さい表示手段であればよい。
【００６２】
また、第一のネットワーク通信部には、特定小電力による無線を用いたが、無線ＬＡＮや有線通信であっても構わない。
【００６３】
なお、本実施の形態では、表示部は液晶を用いたが、蛍光表示管やプラズマ方式でも画面表示できれば何でも構わない。また、液晶はＳＴＮ（Ｓｕｐｅｒ  Ｔｗｉｓｔｅｄ  Ｎｅｍａｔｉｃ）でなくＴＦＴ（Ｔｈｉｎ  Ｆｉｌｍ  Ｔｒａｎｓｉｓｔｏｒ）や有機ＥＬ（Ｅｌｅｃｔｒｏ  Ｌｕｍｉｎｅｓｃｅｎｃｅ）であっても構わない。
【００６４】
また、電池２１はＤＣ６Ｖのリチウム一次電池を用いたが、マンガンやアルカリでも構わないし、情報端末装置に充電回路を設け、充電が可能な２次電池を使用できるようにしても構わない。また、電池でなくでも、電気二重層コンデンサなどのように、蓄電されバックアップ動作できる機能を有するものであれば、何であっても構わない。
【００６５】
また、電源供給部２０はＡＣアダプタからＤＣ１２Ｖを入力するようにしたが、ＡＣ−ＤＣ変換回路を情報端末装置内に装備すれば、直接、商用電源を入力しても構わない。
【００６６】
また、情報端末装置に第一のネットワーク通信部を介して接続される機器はガスメータのみとする構成としたが、第一のネットワーク通信部あるいは別のネットワーク通信部をさらに設けて、複数のガスメータ、冷蔵庫や洗濯機などの家電機器、他の設備機器やホームセキュリティを実現するセンサなどを混合する構成としても同様の方法で実現できる。
【００６７】
また、本実施の形態では、ガスメータを使用する構成としたが、ガスメータの代わりに水道メータや電力メータ、あるいは併用しても同様の効果を得ることができる。
【００６８】
なお、本実施の形態で説明した部は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【００６９】
以上のように、本発明にかかる情報端末装置、情報処理の方法及びプログラムは、停電時、バックアップ電源で動作を継続させ、バックアップ電源を長く持たせるため電源消費量の大きい画面表示をＯＦＦするが、ユーザーはＬＥＤなど低消費電力の表示部でガス、水道、電力に関する設備機器の状態を確認することができ、冷蔵庫や洗濯機などの家電機器、他の設備機器やホームセキュリティを実現するセンサであっても、情報端末装置と通信可能であれば、同様の方法で適用できる。
【図面の簡単な説明】
【００７０】
【図１】本発明の第１の実施の形態における情報端末装置のシステム構成図
【図２】本発明の第１の実施の形態における情報端末装置のブロック図
【図３】（ａ）停電中にガスメータで異常が発生したときの情報端末装置の動作を示すフローチャート（ｂ）シャットダウン後に停電復帰した時の情報端末装置の動作を示すフローチャート
【図４】（ａ）停電中のガスメーター遮断状態を示す情報端末装置の外観図（ｂ）停電復帰後のガスメーター遮断状態を示す情報端末装置の外観図
【図５】本発明の第１の実施の形態における情報端末装置の記憶部で記憶するデータの一例を示す図
【図６】従来の情報端末装置を用いたシステム構成図
【符号の説明】
【００７１】
１  第一のネットワーク通信部（ネットワーク通信部）
２  ガスメータ（設備機器）
３  情報端末装置
６  第二のネットワーク通信部
７  センターサーバ（サーバ装置）
８  表示部（第二の表示部）
１５  ＬＥＤ群
１５ｃ  遮断ＬＥＤ（第一の表示部）
１９  報知部
２０  電源供給部
２１  電池（バックアップ電源供給部）
２２  停電検知部
２３  記憶部
２４  表示選択部
【図１】
2006033130.tif 000003
【図２】
2006033130.tif 000004
【図３】
2006033130.tif 000005
【図４】
2006033130.tif 000006
【図５】
2006033130.tif 000007
【図６】
2006033130.tif 000008